(57)【要約】【課題】発呼時に接続不可能だった着信側通信端末装置に接続可能になった際に、有効な情報を表示する通信端末装置を提供する。【解決手段】発呼して着信側通信端末装置に接続不可能であった際に、不完了呼データ登録装置１１は入力装置５からその発呼に関する目的、用件等のデータを入力して不完了呼データベース１２に格納し、上記着信側通信端末装置に接続可能になった際に、不完了呼データ検索装置１３が不完了呼データベース１２から読み出し、出力装置６へ上記データを表示する。【選択図】　図１
2004104549.tif 000002
【特許請求の範囲】
【請求項１】
複数のキーを有する入力手段と、各種データが表示可能な表示手段とを備え、回線を介して上位局と信号の送受信が可能な通信端末装置であって、
発呼処理が接続不可能であった際に、該発呼に関連したデータ及び前記入力手段によって入力されたデータを記憶する不完了呼データ記憶手段と、
前記接続不可能であった着信側通信端末装置に接続可能となった際に、前記不完了呼データ記憶手段より前記発呼に関連したデータ及び前記入力されたデータを読み出し、前記表示手段へ表示させる手段と
を具備することを特徴とする通信端末装置。
【請求項２】
複数のキーを有する入力手段と、各種データが表示可能な表示手段とを備え、回線を介して上位局と信号の送受信が可能な通信端末装置であって、
発呼処理が接続不可能であった際に、該発呼に関連したデータ及び前記入力手段により入力され、要件を示す付加データを記憶する不完了呼データ記憶手段と、前記接続不可能であった着信側通信端末装置に接続可能となった際に、前記不完了呼データ記憶手段より前記発呼に関連したデータ及び前記入力された付加データを読み出し、前記表示手段へ表示させる手段と
を具備することを特徴とする通信端末装置。
【発明の詳細な説明】
【０００１】
【発明の属する技術分野】
本発明は、発呼を行う通信端末装置に係り、特に発呼時に不可能であった着信側通信端末装置に接続可能になった際の処理に関する。
【０００２】
【従来の技術】
携帯電話などの移動通信端末装置間の通信においては、発呼を行っても着信側通信端末装置に接続不可能なことがある。
【０００３】
その原因として、
（１）着信側通信端末装置の電源が切断されている場合
（２）着信側通信端末装置がサービス圏外に存在する場合
（３）着信側通信端末装置が話中である場合
（４）網が輻輳している場合
などがある。このような場合に、発呼側通信端末装置の利用者はしかるべき間隔をおいて発呼操作を繰り返す必要があり、煩雑であった。
【０００４】
そこで、着信側通信端末装置に接続可能になった際に、その旨を発呼側通信端末装置が表示する方法が知られている。従来の方法は、網が着信側通信端末装置の状態を監視し、それに接続可能になったことを検出するとその旨を発呼側通信端末装置に通知し、それを発呼側通信端末装置の表示部に表示している（例えば、特許文献１参照。）。
【０００５】
また、発呼側通信端末装置が着信側通信端末装置への発呼を繰り返すことによって着信側通信端末装置の状態を監視し、接続可能になったことを検出するとその旨を発呼側通信端末装置の表示部に表示しているものもある（例えば、特許文献２参照。）。
【０００６】
【特許文献１】
特開平８−７９３８７号公報（第２頁、図１）
【０００７】
【特許文献２】
特開平１０−３２２７７３号公報（第２頁、図１）
【０００８】
【発明が解決しようとする課題】
しかしながら、上述した特許文献１及び特許文献２に開示されている方法では、発呼側通信端末装置には単に着信側通信端末装置に接続可能になった旨の表示が行われるのみであり、その着信側通信端末装置に対する発呼の目的や、相手方の氏名などは全て利用者の記憶に委ねられていた。そこで、利用者が上記表示を得た際に、とっさには何をするべきかを思い出せないとの問題点があった。
【０００９】
本発明は、上記問題点を解決するためになされたもので、着信側通信端末装置に接続可能になった際には、そこへの発呼に関するデータを表示する通信端末装置を提供することを目的とする。
【００１０】
【課題を解決するための手段】
上記目的を達成するために、本発明の通信端末装置は、複数のキーを有する入力手段と、各種データが表示可能な表示手段とを備え、回線を介して上位局と信号の送受信が可能な通信端末装置であって、発呼処理が接続不可能であった際に、該発呼に関連したデータ及び前記入力手段によって入力されたデータを記憶する不完了呼データ記憶手段と、前記接続不可能であった着信側通信端末装置に接続可能となった際に、前記不完了呼データ記憶手段より前記発呼に関連したデータ及び前記入力されたデータを読み出し、前記表示手段へ表示させる手段とを具備することを特徴とする。
【００１１】
本発明によれば、着信側通信端末装置に接続不可能であった際に、そこへの発呼に関するデータを入力し、着信側通信端末装置に接続可能になった際には、そのデータを表示することにより、利用者は直ちに適切な対応を行うことが可能となる。
【００１２】
【発明の実施の形態】
以下に、本発明による通信端末装置の実施の形態を、移動通信端末装置を例として、図面を参照して説明する。
【００１３】
図１は、本発明の実施形態に関る移動通信端末装置を示すブロック図である。この移動通信端末装置は、装置全体の制御を行う制御装置１と、時刻を測定するクロック１ａと、アンテナ２ａと、通信装置２ｂと、送受信装置３と、スピーカ４ａと、マイク４ｂと、通話装置４ｃと、利用者からの操作指示を入力する入力装置５と、利用者へ情報の提示を行う出力装置６と、発呼したが着信側通信端末装置に接続不可能であった呼に関するデータを入力し、登録する不完了呼データ登録装置１１と、上記データが登録、格納される不完了呼データベース１２と、不完了呼データベース１２に格納されたデータを検索する不完了呼データ検索装置１３とからなる。
【００１４】
上記のように構成された、本発明の実施形態に係る移動通信端末装置の動作を説明する。通信装置２ｂは、アンテナ２ａが受信した高周波信号を送受信装置３へ出力し、また、送受信装置３が出力する高周波信号をアンテナ２ａより送信する。
【００１５】
次に、送受信装置３の動作を説明する。送受信装置３は、通信装置２ｂからの高周波信号を増幅、周波数変換及び復調し、それによって得た音声信号を通話装置４ｃへ、また、制御信号を制御装置１へ送る。更には、通話装置４ｃが出力する音声信号及び制御装置１が出力する制御信号を変調、周波数変換及び増幅し、高周波信号を得てそれを通信装置２ｂへ送る。
【００１６】
次に、通話装置４ｃの動作を説明する。通話装置４ｃは、送受信装置３が出力するデジタル音声信号をアナログ音声信号に変換し、それを増幅してスピーカ４ａに送る。また、マイク４ｂが出力するアナログ音声信号を増幅し、それをデジタル音声信号に変換して送受信装置３に送る。
【００１７】
次に、入力装置５の動作を説明する。入力装置５は、複数のキーからなり、制御装置１の起動により動作を開始し、利用者が操作したキーを識別するコードを制御装置１へ通知して動作を終了する。
【００１８】
次に、出力装置６の動作を説明する。出力装置６は、例えばＬＣＤの表示装置であり、制御装置１より起動されることにより、表示動作を開始する。新たに制御装置１より起動されるまで、同じ表示動作を続ける。
【００１９】
次に、不完了呼データ登録装置１１の動作を説明する。図２は、不完了呼データ登録装置１１の動作のフローチャートを示す。
【００２０】
不完了呼データ登録装置１１は、制御装置１が送受信装置３、通信装置２ｂ及びアンテナ２ａを経由して網（図示せず）に対して発呼を行った時に、網よりその呼は着信側通信端末装置に接続不可能である旨の通知を受信すると、制御装置１が起動して動作を開始する（ステップ２１ａ）。
【００２１】
ここで、網は呼を着信側通信端末装置に接続するための動作を行う全ての装置を指す。また、着信側通信端末装置に接続不可能であった呼を不完了呼と称する。接続不可能であった理由には、網の輻輳、着信側通信端末装置の話中、その電源の切断、それがサービス圏外に存在などがある。なお、着信側通信端末装置の呼び出し音の鳴動は、呼が着信側通信端末装置に接続されたことを意味し、その利用者が応答しなかった場合はその呼を不完了呼とは呼ばない。
【００２２】
制御装置１が不完了呼データ登録装置１１を起動する際には、上記不完了呼の識別子、発生日と時刻、相手方電話番号を引数として伴う。不完了呼の識別子は、不完了呼を一意に識別するために網より通知される識別子である。発生日と時刻は、クロック１ａより得た発呼時の年月日及び時刻である。相手方電話番号は、制御装置１が上記発呼を行った際に指定した着信側通信端末装置の識別番号である。
【００２３】
続いて、不完了呼データ登録装置１１は、上記不完了呼に関する追加データを入力装置５より入力する（ステップ２１ｂ）。この追加データとしては、その時の目的、用件を直接的又は間接的に表現するものなどであるが、これに限定されるものではない。
【００２４】
続いて、引数として与えられた不完了呼の識別子、発生日と時刻及び相手方電話番号に加え、ステップ２１ｂで得られた追加データを不完了呼データベース１２に格納して（ステップ２１ｃ）、終了する（ステップ２１ｄ）。追加データは、例えば文字列データであっても良いし、音声データや、感圧素子によって入力された図形データであっても良い。
【００２５】
図３は、不完了呼データベース１２の一例を示す。不完了呼データベース１２は、不完了呼の識別子、発生日と時刻、相手方電話番号、追加データの属性よりなる。
【００２６】
次に、不完了呼データ検索装置１３の動作を説明する。図４は、不完了呼データ検索装置１３の動作のフローチャートを示す。不完了呼データ検索装置１３は、制御装置１が網よりアンテナ２ａ、通信装置２ｂ及び送受信装置３を経由して、上記呼が接続不可能であった着信側通信端末装置に接続可能である旨の通知を不完了呼の識別子を伴って受信することによって、制御装置１により起動されて、動作を開始する（ステップ３１ａ）。その際、引数として、不完了呼の識別子が与えられる。
【００２７】
続いて、不完了呼データ検索装置１３は、不完了呼データベース１２を上記不完了呼の識別子をキーに検索して（ステップ３１ｂ）、接続不可能であった着信側通信端末装置に接続が可能となったことの表示、及び検索されたデータを出力装置６に表示して（ステップ３１ｃ）、終了する（ステップ３１ｄ）。
【００２８】
これによって、出力装置６には、例えば図５に示す画面が表示される。即ち、図５で、表示４１ａには着信側通信端末装置に接続が可能となったことが、また、表示４１ｂには図３の不完了呼データベースの内容が表示されている。利用者は、表示４１ａ、４１ｂの内容を見て相手方電話番号に対する発呼操作をする。この時、追加データを参照することにより、その前に発呼した時の用件を直ちに判断することができる。
【００２９】
本実施形態では、発呼を行って着信側通信端末装置に接続不可能であった場合には、その着信側通信端末装置に接続可能になった際に必ず網から通知が送信されるとしたが、発呼側通信端末装置が網に要求した場合にのみ、網から通知が送信されるとしても良い。
【００３０】
また、発呼側通信端末装置自身が定期的に着信側通信端末装置へ発呼して、着信側通信端末装置に接続可能かを検出しても良い。本発明は以上の構成に限定されるものではなく、種々の変形が可能である。
【００３１】
【発明の効果】
以上述べたように、本発明によれば、着信側通信端末装置に接続不可能であった際に、そこへの発呼に関するデータを入力し、着信側通信端末装置に接続可能になった際には、そのデータを表示することにより、利用者は直ちに適切な対応を行うことが可能となる。
【図面の簡単な説明】
【図１】本発明の実施形態に係る移動通信端末装置を示すブロック図。
【図２】本発明の実施形態に係る不完了呼データ登録装置のフローチャート。
【図３】本発明の実施形態に係る不完了呼データベース。
【図４】本発明の実施形態に係る不完了呼データ検索装置のフローチャート。
【図５】本発明の実施形態に係る不完了呼データベースのデータの表示例。
【符号の説明】
５　入力装置
６　出力装置
１１　不完了呼データ登録装置
１２　不完了呼データベース
１３　不完了呼データ検索装置
【図１】
2004104549.tif 000003
【図２】
2004104549.tif 000004
【図３】
2004104549.tif 000005
【図４】
2004104549.tif 000006
【図５】
2004104549.tif 000007